(57)【要約】【課題】  運搬物を運搬するエレベータと、当該運搬物の運搬作業を行う作業員が利用するエレベータとを連動させて、異なる階床への荷物の運搬作業を作業員が適切に行うことができるように制御するエレベータシステムおよびこれに利用するエレベータ制御方法を提供する。【解決手段】  実施形態によればエレベータシステムは、荷物運搬用の第１エレベータと、荷物の運搬を行う作業員の移動用の第２エレベータとを連動させて、荷物運搬専用運転を行う。第１エレベータの制御装置は、第１エレベータの第１乗りかごを所定の出発階で戸開させ、第１エレベータの目的階を設定して第１乗りかごを戸閉させた後、第２エレベータで目的階と同一階が目的階として設定され第２エレベータの第２乗りかごが戸閉されると、第１乗りかごを当該目的階に向けて出発させる。また第１エレベータの制御装置は、第２乗りかごが目的階で戸開した後、第１乗りかごを目的階で戸開させる。【選択図】図１
2018002332.tif 000002
【特許請求の範囲】
【請求項１】
荷物運搬用の第１エレベータと、荷物の運搬を行う作業員の移動用の第２エレベータとを連動させて、荷物運搬専用運転を行うエレベータシステムにおいて、
前記第１エレベータの制御装置は、前記第１エレベータの第１乗りかごを所定の出発階で戸開させ、前記第１エレベータの目的階を設定して前記第１乗りかごを戸閉させた後、前記第２エレベータで前記目的階と同一階が目的階として設定され前記第２エレベータの第２乗りかごが戸閉されると、前記第１乗りかごを当該目的階に向けて出発させ、前記第２乗りかごが前記目的階で戸開した後、前記第１乗りかごを前記目的階で戸開させる
ことを特徴とするエレベータシステム。
【請求項２】
前記第２エレベータの制御装置は、前記第１乗りかごが前記出発階で戸閉すると前記第２乗りかごを前記出発階で戸開させ、前記第１エレベータと同一の目的階を設定すると、前記第２乗りかごを戸閉して当該目的階に向けて出発させ、前記目的階に着床すると戸開させる
ことを特徴とする請求項１に記載のエレベータシステム。
【請求項３】
前記第１エレベータの制御装置に接続されて前記目的階に設置された、前記第１乗りかごを前記目的階で戸開させるための目的階運搬釦をさらに備え、
前記第１エレベータの制御装置は、前記第１乗りかごを前記目的階に向けて出発させた後、前記第２乗りかごが前記目的階で戸開すると前記目的階運搬釦を操作有効な状態に切り替える
ことを特徴とする請求項１または２に記載のエレベータシステム。
【請求項４】
前記第１エレベータの制御装置に接続されて前記出発階に設置された、前記第１乗りかごを前記出発階で戸閉させるための出発階運搬釦をさらに備え、
前記第１エレベータの制御装置は、前記第１乗りかごを前記出発階で戸開させた後、前記第１乗りかごに所定値以上の荷重がかかったとき、または、前記出発階で運搬作業員の識別情報が読み取られたときに前記出発階運搬釦を操作有効な状態に切り替える
ことを特徴とする請求項１〜３いずれか１項に記載のエレベータシステム。
【請求項５】
前記第１エレベータの制御装置は、前記第１乗りかごを前記出発階で戸開させ、前記第１エレベータの目的階を設定して戸閉させ、前記第２エレベータで前記目的階と同一階が目的階として設定された後、前記第２乗りかごが前記目的階に向けて出発したことを検知すると、前記第１乗りかごを前記目的階に向けて出発させる
ことを特徴とする請求項１〜４いずれか１項に記載のエレベータシステム。
【請求項６】
前記第１エレベータの制御装置に接続されて前記出発階に設置された第１出発階表示灯と、前記第２エレベータの制御装置に接続されて前記出発階に設置された第２出発階表示灯と、前記第１エレベータの制御装置に接続されて前記目的階に設置された第１目的階表示灯と、前記第２エレベータの制御装置に接続されて前記目的階に設置された第２目的階表示灯と、前記第１乗りかご内に設置された第１スピーカと、前記第２乗りかご内に設置された第２スピーカとをさらに備え、
前記第１エレベータの制御装置は、通常運転から前記荷物運搬専用運転に切り替えられると、前記第１出発階表示灯および第１目的階表示灯を点灯させるとともに、荷物運搬専用運転中であることを報知するための情報を前記第１スピーカから出力させ、前記荷物運搬専用運転から通常運転に切り替えられると、前記第１出発階表示灯および第１目的階表示灯を消灯させ、
前記第２エレベータの制御装置は、通常運転から前記荷物運搬専用運転に切り替えられると、前記第２出発階表示灯および第２目的階表示灯を点灯させるとともに、荷物運搬専用運転中であることを報知するための情報を前記第２スピーカから出力させ、前記荷物運搬専用運転から通常運転に切り替えられると、前記第２出発階表示灯および第２目的階表示灯を消灯させる
ことを特徴とする請求項１〜５いずれか１項に記載のエレベータシステム。
【請求項７】
荷物運搬用の第１エレベータと、荷物の運搬を行う作業員の移動用の第２エレベータとを連動させて荷物運搬専用運転を行うためのエレベータ制御方法であって、
前記第１エレベータの制御装置が、前記第１エレベータの第１乗りかごを所定の出発階で戸開させ、前記第１エレベータの目的階を設定して前記第１乗りかごを戸閉させ、
前記第２エレベータの制御装置が、前記第１乗りかごが前記出発階で戸閉したことを検知すると前記第２エレベータの第２乗りかごを前記出発階で戸開させ、前記第１エレベータと同一の目的階を設定すると、前記第２乗りかごを戸閉して当該目的階に向けて出発させ、
前記第１エレベータの制御装置が、前記出発階で前記第２乗りかごが戸閉されたことを検知すると、前記第１乗りかごを当該目的階に向けて出発させ、
前記第２エレベータの制御装置が、前記第２乗りかごが前記目的階に着床すると戸開させ、
前記第１エレベータの制御装置が、前記第２乗りかごが前記目的階で戸開した後、前記第１乗りかごを前記目的階で戸開させる
ことを特徴とするエレベータ制御方法。
【発明の詳細な説明】
【技術分野】
【０００１】
本発明の実施形態は、エレベータシステムおよびこれに利用するエレベータ制御方法に関する。
【背景技術】
【０００２】
従来、荷物のみを乗りかごに積載させて運搬作業を行うための荷物運搬専用のエレベータがある。この荷物運搬専用のエレベータは、例えば行先階の指定釦や扉の開閉釦等が乗場側に設置されており、作業員が乗りかごの外で当該エレベータの運転操作を行うことができる。
【先行技術文献】
【特許文献】
【０００３】
【特許文献１】特開２０１４−７６８８９号公報
【発明の概要】
【発明が解決しようとする課題】
【０００４】
上述したような荷物運転専用のエレベータは、荷物の運搬先である行先階に別の作業員が待機し、乗りかごが到着した際に荷物の積み下ろし作業を行うことで効率よく運搬作業を行うことができる。しかし、運搬作業によっては、出発階で乗りかごへの積み込み作業を行った作業員が、荷物運搬用のエレベータとは別のエレベータを利用して荷物と同一の行先階に移動し、荷物の積み下ろし作業を行う場合がある。
【０００５】
このような場合、作業員が利用するエレベータと荷物運搬用のエレベータとは別箇に運転が制御されるため、行先階に到着するタイミングがずれてしまう場合がある。しかし、現金などの貴重品やガスボンベなどの危険物を運搬する場合に、作業員の到着がこれらの荷物よりも大幅に遅れると、作業員以外の第三者が先に荷物に接するおそれがあり、セキュリティや安全性の面で問題があった。
【０００６】
本発明は上記事情に鑑みてなされたものであり、運搬物を運搬するエレベータと、当該運搬物の運搬作業を行う作業員が利用するエレベータとを連動させて、異なる階床への荷物の運搬作業を作業員が適切に行うことができるように制御するエレベータシステムおよびこれに利用するエレベータ制御方法の提供を目的とする。
【課題を解決するための手段】
【０００７】
上記目的を達成するための実施形態によればエレベータシステムは、荷物運搬用の第１エレベータと、荷物の運搬を行う作業員の移動用の第２エレベータとを連動させて荷物運搬専用運転を行う。第１エレベータの制御装置は、第１エレベータの第１乗りかごを所定の出発階で戸開させ、第１エレベータの目的階を設定して第１乗りかごを戸閉させた後、第２エレベータで目的階と同一階が目的階として設定され第２エレベータの第２乗りかごが戸閉されると、第１乗りかごを当該目的階に向けて出発させる。また第１エレベータの制御装置は、第２乗りかごが目的階で戸開した後、第１乗りかごを目的階で戸開させる。
【図面の簡単な説明】
【０００８】
【図１】第１、第２、第４実施形態によるエレベータシステムの構成を示す全体図。
【図２】第１実施形態によるエレベータシステムの動作を示すシーケンス図。
【図３】第２実施形態によるエレベータシステムの動作を示すシーケンス図。
【図４】第３実施形態によるエレベータシステムの構成を示す全体図。
【図５】第３実施形態によるエレベータシステムの動作を示すシーケンス図。
【図６】第４実施形態によるエレベータシステムの動作を示すシーケンス図。
【図７】第５実施形態によるエレベータシステムの構成を示す全体図。
【図８】第５実施形態によるエレベータシステムの動作を示すシーケンス図。
【発明を実施するための形態】
【０００９】
本発明の実施形態として、２台のエレベータを備え、所定操作により通常運転から荷物運搬専用運転に切り替えられると、一方のエレベータを荷物運搬用とし、他方のエレベータを当該荷物の運搬作業を行う作業員の移動用として、これら２台のエレベータを連動させて運転するエレベータシステムについて説明する。
【００１０】
《第１実施形態》
〈第１実施形態によるエレベータシステムの構成〉
本発明の第１実施形態によるエレベータシステム１Ａの構成について、図１を参照して説明する。本実施形態によるエレベータシステム１Ａは、第１エレベータ１０と、第２エレベータ２０と、荷物運搬専用運転を行う際の出発階の乗場３０に設置された出発階乗場操作盤３１と、目的階の乗場４０の設置された目的階乗場操作盤４１とを備える。
【００１１】
第１エレベータ１０は、昇降路上部に設置された巻上げ機１１と、巻上げ機１１に掛け渡されたロープ１２に吊り下げられた第１乗りかご１３と、昇降路上部に設置されて巻上げ機１１に信号線１４で接続されるとともに第１乗りかご１３にテールコード１５を介して接続された第１エレベータ制御装置１６とを有する。第１乗りかご１３は、かご扉１３１と、かご上部に設置されかご扉１３１の戸開閉動作を駆動する戸開閉装置１３２と、かご内に設置され、利用者が目的階の指定操作を行うかご内操作盤１３３と、かご床面に設置され、かご内にかかる荷重量を検知する荷重検知装置１３４とを有する。
【００１２】
第１エレベータ制御装置１６は、荷物運搬専用運転において、第１乗りかご１３のかご扉１３１を出発階乗場３０で戸開させ、第１エレベータ１０の目的階を設定してかご扉１３１を戸閉させた後、第２エレベータ２０で第１エレベータ１０と同一の目的階が設定されると、第１エレベータ１０の乗りかご１３を当該目的階に向けて出発させる。また、第２エレベータ２０の乗りかご２３のかご扉２３１が目的階乗場４０で戸開した後、第１乗りかご１３のかご扉１３１を目的階で戸開させる。
【００１３】
第２エレベータ２０も同様に、巻上げ機２１と、巻上げ機２１に掛け渡されたロープ２２に吊り下げられた第２乗りかご２３と、巻上げ機２１に信号線２４で接続されるとともに第２乗りかご２３にテールコード２５を介して接続された第２エレベータ制御装置２６とを有する。第２乗りかご２３は、かご扉２３１と、戸開閉装置２３２と、かご内操作盤２３３と、荷重検知装置２３４とを有する。第２エレベータ制御装置２６は、信号線５１により第１エレベータ制御装置１６に接続されている。
【００１４】
第２エレベータ制御装置２６は、第１乗りかご１３のかご扉１３１が出発階乗場３０で戸閉すると第２乗りかご２３のかご扉２３１を出発階乗場３０で戸開させる。また、第１エレベータ１０と同一の目的階を設定すると、第２乗りかご２３を当該目的階に向けて出発させ、目的階乗場４０に着床するとかご扉２３１を戸開させる。
【００１５】
出発階乗場操作盤３１は、通常運転時に乗場呼びを登録するための乗場呼びボタン３１１と、当該エレベータシステム１Ａ内を通常運転から荷物運搬専用運転に切り替えるための出発階専用運転スイッチ３１２と、荷物運搬専用運転の際に運搬作業員が第１乗りかご１３を出発させるために戸閉させる際に操作する出発階運搬釦３１３とを有する。目的階乗場操作盤４１は、通常運転時に乗場呼びを登録するための乗場呼びボタン４１１と、当該エレベータシステム１Ａ内を荷物運搬専用運転から通常運転に切り替えるための目的階専用運転スイッチ４１２と、荷物運搬専用運転の際に運搬作業員が到着した第１乗りかご１３を戸開させる際に操作する目的階運搬釦４１３とを有する。出発階乗場操作盤３１および目的階乗場操作盤４１は、信号線５２により第１エレベータ制御装置１６に接続されている。
【００１６】
〈第１実施形態によるエレベータシステムの動作〉
次に、本実施形態によるエレベータシステム１Ａの動作について、図２のシーケンス図を参照して説明する。本実施形態によるエレベータシステム１Ａにおいて、通常時は、第１エレベータ１０の第１エレベータ制御装置１６および第２エレベータ２０の第２エレベータ制御装置２６で通常運転が行われている（Ｓ１、Ｓ２）。通常運転時は、目的階乗場操作盤４１の目的階運搬釦４１３が操作無効な状態になっている。
【００１７】
そして、運搬作業員が荷物運搬作業の出発階の乗場３０で出発階専用運転スイッチ３１２を ” ON “ 操作すると（Ｓ３の「YES」）、当該操作情報が第１エレベータ制御装置１６に送信され、さらに第２エレベータ制御装置２６にも送信される。第１エレベータ制御装置１６および第２エレベータ制御装置２６ではそれぞれ、出発階専用運転スイッチ３１２の” ON “ 操作情報が取得されると、当該出発階への呼びが登録され、応答のための運転が実行される（Ｓ４）。つまり、第１乗りかご１３および第２乗りかご２３が、出発階乗場３０に呼び戻される。
【００１８】
次に、第１乗りかご１３と第２乗りかご２３との双方が出発階乗場３０に着床したことが第１エレベータ制御装置１６で検知されると（Ｓ５の「YES」）、まず荷物運搬用として利用される第１乗りかご１３の戸開閉装置１３２によりかご扉１３１が戸開される。また、第１乗りかご１３のかご扉１３１が戸開すると、運搬作業員が荷物を第１乗りかご１３に搬入する。搬入作業が終了すると、運転作業員が第１乗りかご１３内のかご内操作盤１３３で搬送先である目的階を指定する操作を行う。目的階を指定する操作が行われると、該当階が第１乗りかご１３の目的階として設定される（Ｓ６）。第１エレベータ制御装置１６において第１乗りかご１３の目的階が設定されると、当該目的階の情報が第２エレベータ制御装置２６で取得され、保持される（Ｓ７）。
【００１９】
次に、運搬作業員が第１乗りかご１３から降車して、出発階乗場操作盤３１の出発階運搬釦３１３を” ON “ 操作すると（Ｓ８の「YES」）、当該操作情報が第１エレベータ制御装置１６に送信される。第１エレベータ制御装置１６において出発階運搬釦３１３の” ON “ 操作情報が取得されると、当該第１乗りかご１３の戸開閉装置１３２によりかご扉１３１が戸閉される（Ｓ９）。そして、第１乗りかご１３のかご扉１３１が戸閉されたことが第２エレベータ制御装置２６で検知され、運搬作業員の移動用として利用される第２乗りかご２３の戸開閉装置２３２によりかご扉２３１が戸開される（Ｓ１０）。第２乗りかご２３のかご扉２３１が戸開すると、運搬作業員が乗り込み、第２乗りかご２３内のかご内操作盤２３３で第１乗りかご１３で操作した目的階と同じ階を指定する操作を行う。この操作において、ステップＳ７で保持した目的階情報と同じ階が指定され、戸閉されたときは（Ｓ１１の「YES」）、当該動作情報が第１エレベータ制御装置１６に送信され、第１乗りかご１３および第２乗りかご２３が目的階に向けて出発するよう制御される（Ｓ１２）。
【００２０】
次に、第１乗りかご１３と第２乗りかご２３との双方が目的階乗場４０に着床したことが第２エレベータ制御装置２６で検知されると（Ｓ１３の「YES」）、まず第２乗りかご２３の戸開閉装置２３２によりかご扉２３１が戸開される（Ｓ１４）。目的階で第２乗りかご２３のかご扉２３１が戸開すると、第１エレベータ制御装置１６により目的階運搬釦４１３が操作有効な状態に切り替えられる（Ｓ１５）。そして、第２乗りかご２３から降車した運搬作業員が目的階運搬釦４１３を” ON “ 操作すると（Ｓ１６の「YES」）、当該操作情報が第１エレベータ制御装置１６に送信され、第１乗りかご１３の戸開閉装置１３２によりかご扉１３１が戸開される（Ｓ１７）。第１乗りかご１３のかご扉１３１が戸開すると、運搬作業員が第１乗りかご１３から荷物を搬出する。搬出作業が終了すると、運搬作業員が目的階乗場操作盤４１の目的階専用運転スイッチ４１２を” ON “ 操作する。目的階専用運転スイッチ４１２が” ON “ 操作されると（Ｓ１８の「YES」）、第１エレベータ１０及び第２エレベータが通常運転に戻る。
【００２１】
以上の第１実施形態によれば、荷物運搬用のエレベータの制御と、運搬作業員が利用するエレベータの制御とを連動させることにより、荷物を出発階から目的階に運搬する際に、第三者が荷物に接することなく、運搬作業員が適切に運搬作業を行うことができる。
【００２２】
《第２実施形態》
〈第２実施形態によるエレベータシステムの構成〉
本発明の第２実施形態によるエレベータシステム１Ｂの構成は、第１実施形態で説明したエレベータシステム１Ａの構成と同様であるため、同一機能を有する部分の詳細な説明は省略する。
【００２３】
本実施形態において通常運転時は、出発階乗場操作盤３１の出発階運搬釦３１３が操作無効な状態になっており、第１エレベータ制御装置１６が、荷物運搬専用運転中に第１乗りかご１３のかご扉１３１を出発階乗場３０で戸開させた後、荷重検知装置１３４により第１乗りかご１３に所定値以上の荷重がかかったことを検知したときに、操作有効な状態に切り替える。
【００２４】
〈第２実施形態によるエレベータシステムの動作〉
本実施形態によるエレベータシステム１Ｂの動作について、図３のシーケンス図を参照して説明する。図３において、ステップＳ１〜Ｓ７の処理は、第１実施形態で説明した処理と同様であるため、詳細な説明な省略する。
【００２５】
第１エレベータ制御装置１６により、荷物運搬専用運転中に第１乗りかご１３のかご扉１３１が出発階乗場３０で戸開された（Ｓ６）後、荷重検知装置１３４により第１乗りかご１３に所定値以上の荷重がかかったことが検知されると（Ｓ１９の「YES」）、荷物が搬入されたと判定され、出発階運搬釦３１３が操作有効な状態に切り替え設定される（Ｓ２０）。
【００２６】
その後ステップＳ８以降に実行される処理は、第１実施形態で説明した処理と同様であるため、詳細な説明は省略する。
【００２７】
以上の第２実施形態によれば、荷物運搬用のエレベータの乗りかごに荷物が確実に搬入されたときに当該エレベータを運転させることで、運搬作業の精度を向上させることができる。
【００２８】
《第３実施形態》
〈第３実施形態によるエレベータシステムの構成〉
本発明の第３実施形態によるエレベータシステム１Ｃの構成は、図４に示すように、出発階乗場３０の出発階乗場操作盤３１の近傍に、信号線５２に接続されたカードリーダ装置３２を備える他は、第１実施形態で説明したエレベータシステム１Ａの構成と同様であるため、同一機能を有する部分の詳細な説明は省略する。
【００２９】
本実施形態においてカードリーダ装置３２は、運搬作業員が保持するＩＣカードや携帯端末等から、当該運搬作業員を識別する識別情報を読み取る。また、本実施形態において通常運転時は、出発階乗場操作盤３１の出発階運搬釦３１３が操作無効な状態になっており、第１エレベータ制御装置１６が、荷物運搬専用運転中に第１乗りかご１３のかご扉１３１を出発階乗場３０で戸開させた後、カードリーダ装置３２で運搬作業員の識別情報が読み取られたことを検知したときに、操作有効な状態に切り替える。
【００３０】
〈第３実施形態によるエレベータシステムの動作〉
本実施形態によるエレベータシステム１Ｃの動作について、図５のシーケンス図を参照して説明する。図５において、ステップＳ１〜Ｓ７の処理は、第１実施形態で説明した処理と同様であるため、詳細な説明な省略する。
【００３１】
第１エレベータ制御装置１６により、荷物運搬専用運転中に第１乗りかご１３のかご扉１３１が出発階乗場３０で戸開された（Ｓ６）後、出発階乗場３０のカードリーダ装置３２で運搬作業員の識別情報が読み取られたことが検知されると（Ｓ２１の「YES」）、出発階運搬釦３１３が操作有効な状態に切り替え設定される（Ｓ２２）。
【００３２】
その後ステップＳ８以降に実行される処理は、第１実施形態で説明した処理と同様であるため、詳細な説明は省略する。
【００３３】
以上の第３実施形態によれば、荷物運搬専用運転中は、正規の運搬作業員に対してのみ釦操作を有効とするため、いたずらや誤操作を防止することができる。
【００３４】
《第４実施形態》
〈第４実施形態によるエレベータシステムの構成〉
本発明の第４実施形態によるエレベータシステム１Ｄの構成は、第１実施形態で説明したエレベータシステム１Ａの構成と同様であるため、同一機能を有する部分の詳細な説明は省略する。
【００３５】
本実施形態において第１エレベータ制御装置１６は、第１乗りかご１３のかご扉１３１を出発階乗場３０で戸開させ、第１エレベータ１０の目的階を設定してかご扉１３１を戸閉させ、第２エレベータ２０で第１エレベータ１０と同じ目的階が設定された後、第２乗りかご２３が目的階に向けて出発したことを検知すると、第１乗りかご１３を目的階に向けて出発させる。
【００３６】
〈第４実施形態によるエレベータシステムの動作〉
本実施形態によるエレベータシステム１Ｄの動作について、図６のシーケンス図を参照して説明する。図６において、ステップＳ１〜Ｓ１１の処理は、第１実施形態で説明した処理と同様であるため、詳細な説明は省略する。
【００３７】
ステップＳ１１において、第２乗りかご２３内のかご内操作盤２３３で第１乗りかご１３で操作した目的階と同じ階を指定する操作が行われて戸閉されると、まず第２エレベータ制御装置２６により第２乗りかご２３が目的階に向けて出発するように制御される（Ｓ２３）。そして、第２乗りかご２３が出発したことが第１エレベータ制御装置１６により検知され、これにより第１乗りかご１３が目的階に向けて出発するように制御される（Ｓ２４）。第２乗りかご２３が目的階乗場４０に着床したことが第２エレベータ制御装置２６で検知されると（Ｓ２５の「YES」）、第２乗りかご２３のかご扉２３１が戸開される（Ｓ２５）。
【００３８】
その後ステップＳ１４以降に実行される処理は、第１実施形態で説明した処理と同様であるため、詳細な説明は省略する。
【００３９】
以上の第４実施形態によれば、荷物運搬用の乗りかごよりも運搬作業員の移動に利用する乗りかごを先に出発させることにより、運搬作業員が先に目的階に到着して荷物の搬出作業に備えて行動することができる。
【００４０】
《第５実施形態》
〈第５実施形態によるエレベータシステムの構成〉
本発明の第５実施形態によるエレベータシステム１Ｅの構成は、図７に示すように、出発階乗場３０の第１エレベータ１０の近傍に設置された第１出発階表示灯３３−１および第２エレベータ２０の近傍に設置された第２出発階表示灯３３−２と、目的階乗場４０の第１エレベータ１０の近傍に設置された第１目的階表示灯４３−１および第２エレベータ２０の近傍に設置された第２目的階表示灯４３−２と、第１乗りかご１３内に設置された第１スピーカ１３５と、第２乗りかご２３内に設置された第２スピーカ２３５とをさらに備える他は、第１実施形態で説明したエレベータシステム１Ａの構成と同様であるため、同一機能を有する部分の詳細な説明は省略する。
【００４１】
本実施形態において第１エレベータ制御装置１６は、通常運転から荷物運搬専用運転に切り替えられると、第１出発階表示灯３３−１および第１目的階表示灯４３−１を点灯させるとともに、荷物運搬専用運転中であることを報知するためのアナウンス情報を第１スピーカ１３５から出力させる。その後、荷物運搬専用運転から通常運転に切り替えられると、点灯させた第１出発階表示灯３３−１および第１目的階表示灯４３−１を消灯させる。
【００４２】
また第２エレベータ制御装置２６は、第１エレベータ制御装置１６において荷物運搬専用運転に切り替わったことを検知すると、第２出発階表示灯３３−２および第２目的階表示灯４３−２を点灯させるとともに、荷物運搬専用運転中であることを報知するためのアナウンス情報を第２スピーカ２３５から出力させる。その後、荷物運搬専用運転から通常運転に切り替えられたことを検知すると、点灯させた第２出発階表示灯３３−２および第２目的階表示灯４３−２を消灯させる。
【００４３】
〈第５実施形態によるエレベータシステムの動作〉
本実施形態によるエレベータシステム１Ｅの動作について、図８のシーケンス図を参照して説明する。本実施形態において、通常運転時に運搬作業員により出発階の乗場３０の出発階専用運転スイッチ３１２が ” ON “ 操作されると（Ｓ１、Ｓ２、Ｓ３の「YES」）、第１エレベータ制御装置１６により当該出発階への呼びの登録および応答が行われるとともに、第１出発階表示灯３３−１および第１目的階表示灯４３−１が点灯され、荷物運搬専用運転中であることを報知するためのアナウンス情報が第１スピーカ１３５から出力される。また、第２エレベータ制御装置２６により当該出発階への呼びの登録および応答が行われるとともに、第２出発階表示灯３３−２および第２目的階表示灯４３−２が点灯され、荷物運搬専用運転中であることを報知するためのアナウンス情報が第２スピーカ２３５から出力される（Ｓ４、Ｓ５）。その後実行される、ステップＳ６〜Ｓ１８の処理は、第１実施形態で説明した処理と同様であるため、詳細な説明は省略する。
【００４４】
本実施形態においてステップＳ１８で目的階専用運転スイッチ４１２が” ON “ 操作されると（Ｓ１８の「YES」）、第１出発階表示灯３３−１、第２出発階表示灯３３−２、第１目的階表示灯４３−１、および第２目的階表示灯４３−２が消灯された後（Ｓ２６）、第１エレベータ１０および第２エレベータが通常運転に戻る。
【００４５】
以上の第５実施形態によれば、通常運転から荷物運搬専用運転に切り替わったときに、各乗場や乗りかご内にいる利用者に当該運転の切り替わりを報知することで、一般利用者の不都合を回避することができる。
【００４６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４７】
１Ａ，１Ｂ，１Ｃ，１Ｄ，１Ｅ…エレベータシステム、１０…第１エレベータ、１１，２１…巻上げ機、１２，２２…ロープ、１３…第１乗りかご、１４，２４…信号線、１５，２５…テールコード、１６…第１エレベータ制御装置、２０…第２エレベータ、２３…第２乗りかご、２６…第２エレベータ制御装置、３０…出発階乗場、３１…出発階乗場操作盤、３２…カードリーダ装置、３３−１…第１出発階表示灯、３３−２…第２出発階表示灯、４０…目的階乗場、４１…目的階乗場操作盤、４３−１…第１目的階表示灯、４３−２…第２目的階表示灯、５１，５２…信号線、１３１，２３１…かご扉、１３２，２３２…戸開閉装置、１３３，２３３…かご内操作盤、１３４，２３４…荷重検知装置、１３５…第１スピーカ、２３５…第２スピーカ、３１１，４１１…乗場呼びボタン、３１２…出発階専用運転スイッチ、３１３…出発階運搬釦、４１２…目的階専用運転スイッチ、４１３…目的階運搬釦
【図１】
2018002332.tif 000003
【図２】
2018002332.tif 000004
【図３】
2018002332.tif 000005
【図４】
2018002332.tif 000006
【図５】
2018002332.tif 000007
【図６】
2018002332.tif 000008
【図７】
2018002332.tif 000009
【図８】
2018002332.tif 000010